(57)【要約】【課題】個包装シートに２種類以上の色が施されている場合であっても、使用者に、色によって吸収性物品の性能特性を容易に認識させることができる吸収性物品の包装体を提供する。【解決手段】吸収性物品の包装体は、複数の吸収性物品１０と、複数の吸収性物品の各々を個別に包装する包装材と、包装材を封じる止着テープと、複数の吸収性物品を収容する外装材４０と、を有する。外装材は、窓４２及びアイコン５０，５２を有する。色相環を５等分した色区域と白色区域と黒色区域との７つの色区域を規定したときに、包装材は、色区域のうちの１つの色区域に属する第１色領域と、色区域のうちの別の１つの色区域に属する第２色領域と、を有する。第１色領域及び第２色領域は、包装材の３０％以上の領域を占めている。第１色領域は、吸収性物品の性能特性を表す。アイコン及び止着テープは、第１色領域を構成する色と同じ色区域に属する色を含む。【選択図】図４
0003205937.tif 000002
【実用新案登録請求の範囲】
【請求項１】
複数の吸収性物品と、
前記複数の吸収性物品の各々を個別に包装する包装材と、
前記包装材を封じる止着テープと、
前記吸収性物品を外部から視認可能にする窓と、前記吸収性物品の特徴を表すアイコンと、を有し、前記複数の吸収性物品を収容する外装材と、を備えた吸収性物品の包装体であって、
色相環を５等分した色区域と白色区域と黒色区域との７つの色区域を規定したときに、前記包装材は、前記色区域のうちの１つの色区域に属する第１色領域と、前記色区域のうちの別の１つの色区域に属する第２色領域と、を有し、
前記第１色領域及び前記第２色領域は、前記包装材の３０％以上の領域を占めており、
前記第１色領域は、前記吸収性物品の性能特性を表しており、
前記アイコン及び前記止着テープは、前記第１色領域を構成する色と同じ色区域に属する色を含む、吸収性物品の包装体。
【請求項２】
前記アイコンは、前記外装材に２種類以上設けられており、
２種類以上の前記アイコンは、同一の色区域に属する色を含む、請求項１に記載の吸収性物品の包装体。
【請求項３】
前記アイコンは、前記外装材の正面に設けられており、
前記止着テープは、前記窓のうちの前記正面に設けられた部分から見えない位置に配置される、請求項１又は２に記載の吸収性物品の包装体。
【請求項４】
前記窓のうちの前記正面に設けられた部分は、前記外装材の前記正面の面積の５０％以上の面積を有する、請求項３に記載の吸収性物品の包装体。
【請求項５】
請求項１から４のいずれか１項に記載の吸収性物品の包装体を複数有する吸収性物品の包装体群であって、
前記吸収性物品の包装体群を構成する包装体は、互いに異なる性能特性、かつ互いに共通する特徴を有する吸収性物品を含み、
前記第１色領域は、前記吸収性物品の性能特性に応じた色区間に属する色からなり、
前記包装体は、共通する柄、模様及び文字の少なくとも１つを有する、吸収性物品の包装体群。
【考案の詳細な説明】
【技術分野】
【０００１】
本考案は、複数の吸収性物品とそれらを収容する外装材とを備えた吸収性物品の包装体と、吸収性物品の包装体を複数有する吸収性物品の包装体群とに関する。
【背景技術】
【０００２】
特許文献１は、複数の吸収性物品を収容する容器を含むパッケージを開示している。複数の吸収性物品は、容器内で、互いに積み重ねられている。各々の吸収性物品は、それぞれ包装材によって包装されている。吸収性物品の包装材には、所定の吸収性物品の性能特性を表すシグナルとして特有の色が施されている。容器の外側表面上にも特有の色として表示される所定の性能特性のシグナルが施されている。さらに、容器は、吸収性物品の包装材に施された特有の色を外部から視認可能にする窓を有する。
【先行技術文献】
【特許文献】
【０００３】
【特許文献１】特許第４０８１０１０号
【考案の概要】
【考案が解決しようとする課題】
【０００４】
デザイン性の向上のため、吸収性物品を個別に包む個包装シートに２種類以上の色を施すことがある。
【０００５】
特許文献１では、外部から視認できる色によって吸収性物品の性能特性を表している。しかしながら、吸収性物品を個別に包む個包装シートに２種類以上の色が施されている場合、使用者は個包装シートに施されている色を特定し難くなる。また、個包装シートに２種類以上の色が施されていると、使用者によって、個包装シートに施されている色が何色であるかという認識に差が生じることもある。
【０００６】
よって、デザイン性を考慮して個包装シートに２種類以上の色を施す場合、吸収性物品の個包装シートに施された色によって吸収性物品の性能特性を表すことは難しい。
【課題を解決するための手段】
【０００７】
一態様に係る吸収性物品の包装体は、複数の吸収性物品と、前記複数の吸収性物品の各々を個別に包装する包装材と、前記包装材を封じる止着テープと、前記吸収性物品を外部から視認可能にする窓と、前記吸収性物品の特徴を表すアイコンと、を有し、前記複数の吸収性物品を収容する外装材と、を備えた吸収性物品の包装体であって、色相環を５等分した色区域と白色区域と黒色区域との７つの色区域を規定したときに、前記包装材は、前記色区域のうちの１つの色区域に属する第１色領域と、前記色区域のうちの別の１つの色区域に属する第２色領域と、を有し、前記第１色領域及び前記第２色領域は、前記包装材の３０％以上の領域を占めており、前記第１色領域は、前記吸収性物品の性能特性を表しており、前記アイコン及び前記止着テープは、前記第１色領域を構成する色と同じ色区域に属する色を含む。
【考案の効果】
【０００８】
本考案によれば、個包装シートに２種類以上の色が施されている場合であっても、使用者は、止着テープに施された色によって吸収性物品の性能特性を容易に認識することができる。
【図面の簡単な説明】
【０００９】
【図１】図１は、展開された包装材上に置かれた吸収性物品の平面図である。
【図２】図２は、図１とは反対側から見た包装材の平面図である。
【図３】図３は、包装材によって包装された吸収性物品の平面図である。
【図４】図４は、複数の吸収性物品を収容する外装材を備えた吸収性物品の包装体の平面図である。
【図５】図５は、吸収性物品の包装体の側面図である。
【考案を実施するための形態】
【００１０】
本明細書及び添付図面の記載により、少なくとも以下の事項が明らかとなる。
複数の吸収性物品と、
前記複数の吸収性物品の各々を個別に包装する包装材と、
前記包装材を封じる止着テープと、
前記吸収性物品を外部から視認可能にする窓と、前記吸収性物品の特徴を表すアイコンと、を有し、前記複数の吸収性物品を収容する外装材と、を備えた吸収性物品の包装体であって、
色相環を５等分した色区域と白色区域と黒色区域との７つの色区域を規定したときに、前記包装材は、前記色区域のうちの１つの色区域に属する第１色領域と、前記色区域のうちの別の１つの色区域に属する第２色領域と、を有し、
前記第１色領域及び前記第２色領域は、前記包装材の３０％以上の領域を占めており、
前記第１色領域は、前記吸収性物品の性能特性を表しており、
前記アイコン及び前記止着テープは、前記第１色領域を構成する色と同じ色区域に属する色を含む、吸収性物品の包装体。
【００１１】
上記吸収性物品の包装体によれば、第１色領域と第２色領域のそれぞれが包装材の３０％以上の領域を占めている。すなわち、包装材の大部分の領域が第１色領域と第２色領域の少なくとも２系統の色で分けられている。これにより、使用者は、包装材のデザインを楽しむことができ、使用者に購買意欲を与えることができる。
【００１２】
吸収性物品の性能特性は、包装材に施された第１色領域によって表されている。ここで、第２色領域も包装材の３０％以上の領域を占めているため、使用者は、吸収性物品の性能特性を表しているのが、第１色領域であるか、それとも第２色領域であるかを判断し難くなる虞がある。しかしながら、上記吸収性物品の包装体によれば、外装材に施されたアイコンが第１色領域を構成する色と同じ色区域に属する色を含んでいるので、使用者は、包装体を外部から見たときに、第１色領域が吸収性物品の性能特性を表していると容易に認識することができる。
【００１３】
さらに、吸収性物品の包装体を購入した消費者は、外装材から包装材で個包装された吸収性物品のみを取り出し、個包装された吸収性物品のみを持ち運ぶことがある。この場合であっても、止着テープに施された色が第１色領域を構成する色と同じ色区域に属する色を含んでいるので、使用者は、吸収性物品の使用直前に、第１色領域に施された色が吸収性物品の性能特性を表していると容易に認識することができる。より具体的には、使用者は、吸収性物品の使用直前に止着テープを開封するため、止着テープを直接見る。このように、使用者が使用直前に必ず見る箇所（止着テープ）に、吸収性物品の性能特性を示す色を施すことによって、使用者が誤って意図する製品とは異なる製品を開封してしまうことを抑止することができる。
【００１４】
好ましい一態様によれば、前記アイコンは、前記外装材に２種類以上設けられており、２種類以上の前記アイコンは、同一の色区域に属する色を含む。同一の色区域に属する色を含む２種類以上のアイコンが外装材に設けられているため、使用者は、アイコンに施された色が吸収性物品の特徴を示すものであると認識し易くなる。これにより、使用者は、特に購入時に、外装材の外側からアイコンを見ることによって吸収性物品の特性を認識することができる。
【００１５】
好ましい一態様によれば、前記アイコンは、前記外装材の正面に設けられており、前記止着テープは、前記窓のうちの前記正面に設けられた部分から見えない位置に配置される。外装材の正面から止着テープの色が見えなくても、外装材の当該正面にアイコンが設けられている。アイコンは、止着テープに施された色と同じ色区域に属する色を含むので、使用者は、アイコンを見ることによって吸収性物品の特徴を認識することができるようになる。したがって、使用者は、購入時又は外装材から吸収性物品を取り出す際に、包装体の外側からアイコンを見ることによって使用者の意図した吸収性物品を間違えること無く選択することができる。
【００１６】
好ましい一態様によれば、前記窓のうちの前記正面に設けられた部分は、前記外装材の前記正面の面積の５０％以上の面積を有する。外装材の正面の面積の５０％以上の面積を有する窓を通して包装材の色を見ることができるので、使用者は、外装材の外部から吸収性物品の包装材のデザインを楽しむことができる。これにより、使用者に購買意欲を与えることができる。
【００１７】
好ましい一態様に係る吸収性物品の包装体群は、上記の吸収性物品の包装体を複数有する吸収性物品の包装体群であって、前記吸収性物品の包装体群を構成する包装体は、互いに異なる性能特性、かつ互いに共通する特徴を有する吸収性物品を含み、前記第１色領域は、前記吸収性物品の性能特性に応じた色区間に属する色からなり、前記包装体は、共通する柄、模様及び文字の少なくとも１つを有する。吸収性物品の性能特性に応じて第１色領域を構成する色が異なるため、色の違いにより吸収性物品の性能特性を認識することができる。この場合であっても、互いに共通する特徴（設計思想）を有する吸収性物品を備えた包装体群では、共通する柄、模様及び文字の少なくとも１つを有している。これにより、共通する特徴を有する吸収性物品であることが、外装材の外部から認識できる。
【００１８】
（１）吸収性物品の構成
図１は、展開された包装材上に置かれた吸収性物品の平面図である。図２は、図１とは反対側から見た包装材の平面図である。吸収性物品１０は、例えば生理用ナプキンである。
【００１９】
吸収性物品１０は、着用者の肌に当接する表面シートと、液不透過性の裏面シートと、吸収体とを有する。吸収体は、表面シートと裏面シートとの間に設けられる。吸収性物品１０は、展開された状態において、包装材３０上に配置される。包装材３０は、吸収性物品１０の裏面シート側に配置される。包装材３０の一端部には、包装材３０から突出する止着テープ２０が設けられている。
【００２０】
包装材３０の材質は、特に限定されるものではなく、例えば、ポリエチレン、ポリプロピレン及びポリエステル等のプラスチックフィルムや、ナイロンフィルムなどのフィルムが挙げられる。
【００２１】
吸収性物品１０及び包装材３０には、長手方向Ｌに沿った第１長手折り目ＦＬ１と、長手方向Ｌに沿った第２長手折り目ＦＬ２と、が形成されている。さらに、吸収性物品１０及び包装材３０には、長手方向Ｌに直交する幅方向Ｗに沿った第１幅折り目ＦＷ１と、幅方向Ｗに沿った第２幅折り目ＦＷ２と、が形成されている。
【００２２】
吸収性物品１０及び包装材３０は、第１長手折り目ＦＬ１及び第２長手折り目ＦＬ２を基点に内側に折り返される。さらに、吸収性物品１０及び包装材３０は、第１幅折り目ＦＷ１及び第２幅折り目ＦＷ２を基点に内側に折り返される。これにより、吸収性物品１０及び包装材３０が折り畳まれた状態になる。
【００２３】
図３は、包装材３０によって包装された吸収性物品の平面図である。折り畳まれた状態において、包装材３０は、吸収性物品１０を包んでいる。このように、包装材３０は、吸収性物品１０を個別に包装している。止着テープ２０は包装材３０を封じており、包装材３０が自然に展開しないようになっている。
【００２４】
図２に示すように、包装材３０の、吸収性物品１とは反対側の一面に、複数の色が施されている。複数の色が施されることによって、デザイン性を高めることができる。
【００２５】
包装材３０は、少なくとも第１色領域Ｃ１と第２色領域Ｃ２を有する。第１色領域Ｃ１は、同一又は類似する所定の色が施された領域である。第２色領域Ｃ２は、同一又は類似する所定の色が施された領域である。
【００２６】
第１色領域Ｃ１及び第２色領域Ｃ２の定義について以下に詳細に説明する。まず、色空間を以下のように区分する。色空間において明度が９０％以上の区域を、色相及び彩度の値にかかわらず、「黒色区域」とする。また、色空間において明度が１０％以下の区域を、色相及び彩度の値にかかわらず、「白色区域」とする。さらに、明度が１０％よりも高く、かつ９０％未満である場合、色相環を５等分することによって５つの色区域を定義する。より具体的には、明度が１０％よりも高く、かつ９０％未満である場合、マンセル表色系の６ＲＰ〜１０ＲＰ、１Ｒ〜１０Ｒ、１ＹＲ〜５ＹＲの色相を「赤色区域」と規定する。また、明度が１０％よりも高く、かつ９０％未満である場合、マンセル表色系の６ＹＲ〜１０ＹＲ、１Ｙ〜１０Ｙ、１ＧＹ〜５ＧＹの色相を「黄色区域」と規定する。また、明度が１０％よりも高く、かつ９０％未満である場合、マンセル表色系の６ＧＹ〜１０ＧＹ、１Ｇ〜１０Ｇ、１ＢＧ〜５ＢＧの色相を「緑色区域」と規定する。また、明度が１０％よりも高く、かつ９０％未満である場合、マンセル表色系の６ＢＧ〜１０ＢＧ、１Ｂ〜１０Ｂ、１ＰＢ〜５ＰＢの色相を「青色区域」と規定する。さらに、明度が１０％よりも高く、かつ９０％未満である場合、マンセル表色系の６ＰＢ〜１０ＰＢ、１Ｐ〜１０Ｐ、１ＲＰ〜５ＲＰの色相を「紫色区域」と規定する。以上のように、色空間を、「黒色区域」、「白色区域」、「赤色区域」、「黄色区域」、「緑色区域」、「青色区域」及び「紫色区域」の７つの色区域に区分する。したがって、同一の色区域に属する色は、人によって似た色と認識され易い。また、互いに異なる色区域に属する色は、人によって似ていない色と認識され易い。なお、前述したように、本明細書では、「色」は、白色や黒色を含む概念として規定される。
【００２７】
ここで、第１色領域Ｃ１は、上記の７つの色区域のうちの１つの色区域に属する色が施された領域によって定義される。第２色領域Ｃ２は、第１色領域Ｃ１は、とは別の色区域に属する色が施された領域によって定義される。第１色領域Ｃ１及び第２色領域Ｃ２は、包装材３０の一面の３０％以上の領域を占めている。
【００２８】
第１色領域Ｃ１に施された色は、吸収性物品１０の性能特性を表している。吸収性物品１０の性能特性は、例えば、吸収性物品の長手方向Ｌの長さ（長い、普通又は短い）が挙げられる。この場合、第１色領域Ｃ１に施された色に応じて、吸収性物品の長さが特定できるようになっている。この代わりに、第１色領域Ｃ１に施された色によって特定される吸収性物品１０の性能特性は、吸収性物品の厚さ（太い、普通又は薄い）、吸収容量（多い、普通又は少ない）、吸収性物品の形状（ウイングの有無）、又は吸収性物品に施された香り（香りの種類又は有無）等であってもよい。
【００２９】
なお、包装材３０は、第１色領域Ｃ１と第２色領域Ｃ２とはさらに別の色区域に属する色が施された第３色領域を有していてもよい。この場合、第３色領域は、包装材３０の一面の３０％未満の領域を占めている。
【００３０】
止着テープ２０は、包装材３０の第１色領域Ｃ１を構成する色と同じ色区域に属する色を含む。第１色領域Ｃ１を構成する色と同じ色区域に属する色は、止着テープ２０の一面の好ましくは８０％以上の領域、より好ましくは９０％以上の領域、さらに好ましくは１００％の領域に設けられている。
【００３１】
後述するように外装材に収容された吸収性物品の包装体を購入した消費者は、外装材から包装材で個包装された吸収性物品のみを取り出し、個包装された吸収性物品のみを持ち運ぶことがある。この場合であっても、止着テープ２０に施された色が第１色領域Ｃ１を構成する色と同じ色区域に属する色を含んでいるので、使用者は、吸収性物品１０の使用直前に、第１色領域Ｃ１が吸収性物品１０の性能特性を表していると容易に認識することができる。より具体的には、使用者は、吸収性物品１０の使用直前に止着テープ２０を開封するため、止着テープ２０を直接見る。このように、使用者が使用直前に必ず見る箇所（止着テープ）に、吸収性物品の性能特性を示す色を施すことによって、使用者が誤って意図する製品とは異なる製品を開封してしまうことを抑止することができる。
【００３２】
（２）吸収性物品の包装体の構成
図４は、吸収性物品の包装体の平面図である。図５は、図４の矢印Ｄ５方向から見た吸収性物品の包装体の側面図である。吸収性物品の包装体１００は、前述した複数の吸収性物品１０と、複数の吸収性物品１０を収容する外装材４０と、を備える。吸収性物品１０は、包装材３０によって個包装されている。
【００３３】
外装材４０は、吸収性物品を複数収容できるように構成されていればよい。外装材４０は、図４及び図５に示すようなウインケット袋であってもよいし、平袋であってもよい。外装材４０の材質としては、ポリエチレン、ポリプロピレン、ポリエチレンテフタレート等を例示できる。
【００３４】
外装材４０は、複数の吸収性物品を収容した状態で略直方体形状である。外装材４０は、少なくとも正面（図４で示された一面）に、吸収性物品１０を外部から視認可能にする窓４２を有する。
【００３５】
ここで、外装材４０の正面は、製品（吸収性物品の包装体１００）を店内に陳列する際に消費者の方に向けられる面である。外装材４０の正面は、例えば、製品名や、ロゴ、製品枚数などが大きく記載されている面である。
【００３６】
窓４２は、図５に示すように、外装材４０の側面に設けられていてもよい。窓４２のうち外装材４０の正面に設けられた部分は、外装材４０の正面の面積の５０％以上の面積を有することが好ましい。この場合、使用者は、外装材４０の正面の面積の５０％以上の面積を有する窓４２を通して吸収性物品１０の包装材３０の色を見ることができる。したがって、例えば製品が店内に陳列された状態で、使用者は、外装材４０の外部から吸収性物品１０の包装材３０のデザインを楽しむことができる。これにより、使用者に購買意欲を与えることができる。
【００３７】
外装材４０は、吸収性物品の特徴を表すアイコン５０，５２を有する。アイコン５０，５２は、包装材３０の第１色領域Ｃ１を構成する色と同じ色区域に属する色を含む。第１色領域Ｃ１を構成する色と同じ色区域に属する色は、アイコン５０，５２の好ましくは８０％以上の領域、より好ましくは９０％以上の領域、さらに好ましくは１００％の領域に設けられている。
【００３８】
前述したように、吸収性物品１０の性能特性は、包装材３０に施された第１色領域Ｃ１に施された色よって表されている。ここで、第２色領域も包装材の３０％以上の領域を占めているため、使用者は、吸収性物品の性能特性を表しているのが、第１色領域Ｃ１に施された色であるか、それとも第２色領域Ｃ２に施された色であるかを判断し難くなる虞がある。しかしながら、上記吸収性物品の包装体１００によれば、外装材４０に施されたアイコン５０，５２が第１色領域Ｃ１を構成する色と同じ色区域に属する色を含んでいるので、使用者は、包装体１００を外部から見たときに、第１色領域Ｃ１に施された色が吸収性物品１０の性能特性を表していると容易に認識することができる。
【００３９】
アイコン５０，５２は、外装材４０に２種類以上設けられていてよい。この場合、２種類以上のアイコン５０，５２は、同一の色区域に属する色を含むことが好ましい。同一の色区域に属する色を含む２種類以上のアイコン５０，５２が外装材に設けられているため、使用者は、アイコン５０，５２に施された色が吸収性物品１０の特徴を示すものであると認識し易くなる。これにより、使用者は、特に購入時に、外装材４０の外側からアイコン５０，５２を見ることによって吸収性物品１０の特性を認識することができる。
【００４０】
アイコン５０，５２は、外装材４０の正面に設けられていることが好ましい。また、止着テープ２０は、窓４２のうち外装材４０の正面に設けられた部分からは見えない位置に配置されていてよい。外装材４０の正面から止着テープ２０の色が見えなくても、外装材４０の当該正面にアイコン５０，５２が設けられている。アイコン５０，５２は、止着テープ２０に施された色と同じ色区域に属する色を含むので、使用者は、アイコン５０，５２を見ることによって吸収性物品１０の特徴を認識することができるようになる。
【００４１】
また、窓４２は、外装材４０の側面（図５で示す一面）にも設けられていてよい。止着テープ２０は、外装材４０の側面の窓４２から視認できる位置に配置されていてもよい。
【００４２】
次に、吸収性物品の包装体１００を複数有する吸収性物品の包装体群について説明する。吸収性物品の包装体群は、上述した吸収性物品の包装体の集合である。各々の吸収性物品の包装体１００は、前述した構成を有する（図４及び図５参照）。ただし、吸収性物品の包装体群を構成する複数の包装体は、互いに異なる性能特性、かつ互いに共通する特徴（設計思想）を有する吸収性物品を含む。すなわち、同一の包装体群を構成する全ての包装体１００は、同一の設計思想から構成された吸収性物品、具体的一例として図１〜３に示すように第１長手折り目ＦＬ１、第２長手折り目ＦＬ２、第１幅折り目ＦＷ１及び第２幅折り目ＦＷ２によって折り畳まれた吸収性物品を含んでいる。しかしながら、すなわち、同一の包装体群を構成する包装体１００は、互いに異なる性能特性（吸収性物品の長さ、吸収性物品の厚さ、吸収容量、吸収性物品の形状、又は吸収性物品に施された香り）を有する吸収性物品を含む。
【００４３】
吸収性物品の包装材３０の第１色領域Ｃ１は、吸収性物品の性能特性に応じた色区間に属する色からなる。すなわち、吸収性物品の性能特性に応じて、第１色領域Ｃ１に施された色区域は、包装体間で互いに異なる。ただし、同一の包装体群に含まれる複数の包装体１００は、共通する柄、模様及び文字の少なくとも１つを有する。本実施形態では、外装材４０に設けられたアイコン５０，５２の形が、同一の包装体群に含まれる複数の包装体１００で共通となっている。
【００４４】
吸収性物品の性能特性に応じて第１色領域を構成する色が異なるため、色の違いにより吸収性物品の性能特性を認識することができる。この場合であっても、互いに共通する特徴（設計思想）を有する吸収性物品を備えた包装体群では、共通する柄、模様及び文字の少なくとも１つを有している。これにより、共通する特徴を有する吸収性物品であることが、外装材４０の外部から認識できる。
【００４５】
上述したように、本発明の実施形態を通じて本考案の内容を開示したが、この開示の一部をなす論述及び図面は、本考案を限定するものであると理解すべきではない。この開示から当業者には様々な代替実施の形態、実施例及び運用技術が明らかとなる。したがって、本考案の技術的範囲は、上述の説明から妥当な実用新案登録請求の範囲に係る事項によってのみ定められるものである。
【符号の説明】
【００４６】
１０        吸収性物品
２０        止着テープ
３０        包装材
４０        外装材
４２        窓
５０，５２  アイコン
１００      包装体
Ｃ１        第１色領域
Ｃ２        第２色領域
Ｌ          長手方向
Ｗ          幅方向
【図１】
0003205937.tif 000003
【図２】
0003205937.tif 000004
【図３】
0003205937.tif 000005
【図４】
0003205937.tif 000006
【図５】
0003205937.tif 000007